(57)【要約】【課題】検知器に積もった雪が徐々に融けだし、検知器の前面側に、融けかけの雪のかたまりが落下することにより発生する屋外設置用検知器の誤動作をなくす。              【解決手段】積もった雪が意図しない方向に落下しないように、検知器の上面外周に隔壁２を設けた。この隔壁２は、カバー前面の水平方向の最大突出部から垂直に立ち上がるような形状とし、検知器の背面の検知感度に関係ない面には形成しないようにした。      【選択図】図２
0003107992.tif 000002
【実用新案登録請求の範囲】
【請求項１】
移動する人間や物体を非接触にて検出する検知器であって、前記検知器は、その上面よりも上に突きだす隔壁を備えたものであり、前記隔壁は、カバー前面の水平方向の最大突出部から垂直に立ち上がり、検知器の背面の検知感度に関係ない面には形成されていないことを特徴とする屋外設置用検知器
【考案の詳細な説明】
【技術分野】
【０００１】
本考案は、マイクロ波の遮断により不審者の侵入などを検出するマイクロ波センサーや、物体が放射する赤外線エネルギーを集束しその変化分をもとに物体の移動を検出するパッシブセンサーなどの、屋外設置用検知器の構造に関するものである。特に積雪による誤動作を減少させる技術に関する。
【背景技術】
【０００２】
従来の屋外用の検知器としては、赤外線ビームを発する投光器とこの赤外線ビームを受ける受光器とを対向させ、この赤外線ビームを不審者が横切ったときに、検知信号を出力するタイプのものが多用されている。また、赤外線に代ってマイクロ波を用い、同様に送信アンテナと受信アンテナとを対向させて設置し、その間を遮断するものがあると、受信するマイクロ波の一部が遮断されて小さくなることを利用し、検知信号を出力するタイプのものも用いられている。そのほか、物体が放射する赤外線エネルギーを集束しその変化分をもとに物体の移動を検出するパッシブセンサーも一部採用されている。
【０００３】
検知器を屋外にて使用する場合、雨、雪、霧などの気象条件により悪影響を受けないよう考慮する必要がある。濃霧により赤外線ビームが遮断されたり、積雪により検知器全体が埋まってしまうといった極端な条件の場合は別として、できる限り気象条件に左右されない検知器を実現しようとしてきた。例えば、検知器の窓部分に直接雨や雪があたらないように、上部にフードを取り付けたり、真冬のよく晴れた早朝に発生する霜の付着による誤動作を防止するため、窓部分の構造に工夫を加えたり（例えば、特許文献１参照。）してきた。
【特許文献１】実公平４−４５１１０号公報
【考案の開示】
【考案が解決しようとする課題】
【０００４】
検知器が雪により受ける影響は、降雪中だけではなく、検知器上部に積もった雪が落下するときにも生ずる。雪がやみ天候が回復し、検知器に積もった雪が徐々に融けだし、検知器の前面側に、融けかけの雪のかたまりが落下することがある。このとき、マイクロ波センサーでは、電波が一瞬遮断されて検知信号を発することがある。パッシブセンサーでは、雪のかたまりの通過が赤外線エネルギーの変化として認識され検知信号を発することがある。降雪時には、ある程度検知信号の発生は予想されているので、特別な異常ということにはならないが、晴れているときに発生する突発的な検知信号は、原因不明の誤動作として、大きな問題となる場合がある。これを防止するためには、検知器を、雪が積もりにくい形状とすればよいが、上部の傾斜をあまり強くすると、検知器の美観を損なうことになり、デザイン上好ましくない。
【課題を解決するための手段】
【０００５】
雪が積もらないようにするのではなく、積もった雪が意図しない方向に落下しないように、検知器の上面外周に隔壁を設けた。この隔壁は、カバー前面の水平方向の最大突出部から垂直に立ち上がるような形状とし、検知器の背面の検知感度に関係ない面には形成しないようにした。
【考案の効果】
【０００６】
検知器に積もった雪が徐々に融けだしたときでも、隔壁により、雪のかたまりが検知器前面へ滑って移動するのが阻止され、検知器の前面側に、雪のかたまりが落下することがなくなる。一般的なフードのような水平方向の出っ張りが無く、美観上の問題がない。雪が融けたときの水滴も、検知器の背面の隔壁のないところから落下するので、大量の水の落下によるマイクロ波センサーやパッシブセンサーの誤動作をも防止することができる。降雪時だけでなく、降雨時にも、カバー前面への、検知器上部に降った雨の流れ落ちが防止され、その分の誤動作も減少する。
【考案を実施するための最良の形態】
【０００７】
図１は、本考案の屋外設置用検知器であるマイクロ波センサーの送信機の構成を示した外観斜視図である。１はカバーであり、基台６に固定され、マイクロ波センサーの送信機全体を覆う。カバー１は、半円柱形の成型部品である。２は、検知器の上面外周に設けた隔壁である。この隔壁２は、カバー１と同じ材料で形成された成型部品である。              
【０００８】
３は、送信ユニットであり、送信モジュール（図示省略）とホーンアンテナ４を基本構成部品としてしている。５は、制御回路収納部であり、基台６に固定されている。この制御回路収納部５の上部に、送信ユニット３が、左右９０度、上下１０度回転可能な状態で固定されている。以上の構成の送信機のホーンアンテナ４からは、２４ＧＨｚ帯のマイクロ波が発射される。図ではホーンアンテナ４が正面方向に向けられており、矢印の方向に指向性をもって発射される。送信ユニット３は、照準機構を備えており、この照準機構を用いることにより、ホーンアンテナ４から発射されるマイクロ波が、正確にマイクロ波センサーの受信機のホーンアンテナに向けられるように微調整される。
【０００９】
マイクロ波センサーの受信機も、図１に示した送信機の構成と外観的にはほぼ同じであり、送信ユニットの代わりに受信モジュールとホーンアンテナを基本構成部品とした受信ユニットが内蔵される点と、制御回路が受信機専用のものとなる点が異なる。受信機側の受信ユニットにも、照準機構が備えられており、この照準機構を用いることにより、ホーンアンテナが受けるマイクロ波の受信指向性の中心が、正確にマイクロ波センサーの送信機のホーンアンテナに向けられるように微調整される。
【００１０】
対向して設置されたマイクロ波センサーの送信機と受信機は、照準機構を用いて方向調整され、受信機側でのマイクロ波の受信レベルが最大となるようにセットされる。そして、送信機と受信機にそれぞれカバー１が取り付けられる。カバー１の形状は、送信機用と受信機用と同じであり、上部に同じ形状の隔壁２が取り付けられている。
【００１１】
図２は、カバー１の構造を示した外観斜視図である。隔壁２の下部は、カバー１側に密着しており、カバーの上部にたまった雪融け水や雨水は、カバー前面から背面に向かって傾斜する形で形成された溝２１を通って流れ落ちる。隔壁２はカバー１の背面を除く部分でカバー１の上面に突き出ており、この隔壁２により、雪のかたまりが検知器前面へ滑って移動するのが阻止される。送信ユニットや、受信ユニットが、左右９０度、上下１０度の範囲で回転してどの方向にセットされても、隔壁２は、送信ユニットや、受信ユニットの可動範囲をカバーするだけの大きさのものであるため、効果は不変である。
【００１２】
カバー１と隔壁２とを別の成型部品として構成する場合について説明したが、両者を一体成型して作っても良い。円柱形のカバーの場合について説明したが、カバー前面の水平方向の最大突出部から垂直に立ち上がる隔壁であれば、どのような形のカバーにも適用可能である。また、マイクロ波センサーに限らず、パッシブセンサーや、赤外線センサー等の屋外設置用検知器全般に採用することができる。
【図面の簡単な説明】
【００１３】
【図１】本考案の屋外設置用検知器であるマイクロ波センサーの送信機の構成を示した外観斜視図である。
【図２】カバー１の構造を示した外観斜視図である。
【符号の説明】
【００１４】
１・・・カバー
２・・・隔壁
３・・・送信ユニット
４・・・ホーンアンテナ
５・・・制御回路収納部
６・・・基台
２１・・・溝
【図１】
0003107992.tif 000003
【図２】
0003107992.tif 000004